(57)【要約】      （修正有）【課題】バッテリーの寿命が非常に長い害獣撃退用電気柵を提供する。【解決手段】所定間隔で立設された複数の支柱１０と、支柱１０毎に取り付けられた絶縁性能を有する滑車１１を介して、支柱１０間に連続的に張設された裸線１２と、裸線１２に高圧電流を供給する電源装置１６と、電源装置１６に接続され地中に打ち込まれたアース棒１８と、害獣が裸線１２に触れたときに一定時間断続的に、電源装置１６から裸線１２に高圧電流を供給する、電源スイッチ装置とを備えた。【選択図】図２
0003217947.tif 000002
【実用新案登録請求の範囲】
【請求項１】
害獣撃退用の電気柵であって、所定間隔で立設された複数の支柱と、前記支柱毎に取り付けられた絶縁性能を有する滑車を介して、前記支柱間に連続的に張設された裸線と、前記裸線に高圧電流を供給する電源装置と、前記電源装置に接続され地中に打ち込まれたアース棒と、害獣が前記裸線に触れたときに一定時間断続的に、前記電源装置から前記裸線に高圧電流を供給する、電源スイッチ装置とを備えたことを特徴とする害獣撃退用電気柵。
【請求項２】
請求項１記載の電源スイッチ装置は、裸線の終端に位置する支柱に取り付けられた、絶縁性能を有する滑車を介して裸線の終端に吊り下げられ、害獣が裸線に触れたときに上下揺動自在としたことを特徴とする害獣撃退用電気柵。
【請求項３】
請求項１又は２記載の電源スイッチ装置は、略密封された導電性円筒状ケースの上側に裸線用の電極と、また下側に前記ケースから絶縁状態で取り付けられた電極と、そのケースの内面をガイドに収納されスプリングにより支えられた上下揺動自在の錘と、前記錘の底部中央に取り付けられた接点と、前記接点と対向して設けられた小さな電極スプリングとからなり、害獣が裸線に触れたときの電源スイッチ装置全体の上下揺動に伴い、連動する前記ケース内の錘の上下揺動による、前記接点と前記小さな電極スプリングとの断続的接触により、裸線への高圧電流供給を断続的に行うことを特徴とする害獣撃退用電気柵。
【考案の詳細な説明】
【技術分野】
【０００１】  本考案は、イノシシなどの害獣を高圧電流で撃退する電気柵に関する
【背景技術】
【０００２】  従来の電気柵は、例えば特許文献１に示すように田や畑の周囲を裸電線で囲い、常に高圧電流を流していた。
【先行技術文献】
【特許文献】
【０００３】
【特許文献１】特開２０１１−１６７１０４号公報
【特許文献２】特開２０１２−２５４０４３号公報
【考案の概要】
【考案が解決しようとする課題】
【０００４】  上述した、常に高圧電流を流し続けると、草や稲など植物が触れると電流がわずか流れても、長時間流れ続けることで、バッテリーの電気が放電消滅して，蓄電不能になっていた。
特許文献２に示すように、害獣が電気柵に触れた時にのみ高圧電流を流す発明があるが、タッチセンサー関係の付属装置が必要であり高価となっていた。
【課題を解決するための手段】
【０００５】  上記課題を解決するため本考案は害獣撃退用の電気柵であって、所定間隔で立設された複数の支柱と、前記支柱毎に取り付けられた絶縁性能を有する滑車を介して、前記支柱間に連続的に張設された裸線と、前記裸線に高圧電流を供給する電源装置と、前記電源装置に接続され地中に打ち込まれたアース棒と、害獣が前記裸線に触れたときに一定時間断続的に、前記電源装置から前記裸線に高圧電流を供給する、電源スイッチ装置とを備えたことを特徴としている。【０００６】  二本の支柱の一方に、害獣が触れる高さに裸線の端を絶縁物で止めて、反対側の支柱の同じ高さと、上に、数個の絶縁物でできた滑車を取り付け、この滑車を介して支柱の上の滑車から、十五センチ下がったところの裸線の終端に、錘の入った茶筒のようなケースを吊り下げ、このケースの内面をガイドに、錘がスプリングに支えられおり、この錘の底部中央に接点を設け、ケースの底から電極になる小さなスプリングの接点が、錘の接点に接触しないていどに絶縁物で止め、その錘の入ったケースで引っ張られた裸線に害獣が触れると、滑車を介してケースが上に引っ張られて、スプリングに支えられた錘は慣性で、スプリングが縮まり遅れて上がるため、ケースの底の真ん中に絶縁物で止めた小さなスプリングの接点と、錘の底部の接点が接触して裸線に高圧電流が流れ、スプリングで錘が上下揺動を繰り返して、裸線に高圧電流が数回流れる電源スイッチ装置。
裸線に、高圧電流を常に流すのではなく、イノシシなど害獣が裸線に触れた時だけ４〜５秒間だけ断続的に流れるようにする。
【考案の効果】
【０００７】  常に高圧電流を流さずに、害獣が触れた時だけ高圧電流が数秒間断続的に流れるため。
（１）植物が裸線に触れていても放電がないため、バッテリーの寿命が非常に長くなる。
（２）イノシシ、クマ、サルなど野生動物が下りてくる人里の茂みや、道路の沿線で植物が裸線に、触れる恐れのある所でも接地ができる。
（３）バッテリー容量も太陽電池充電も小さくてよい。
（４）小さな農園にも接地が容易
（５）誤って人が握っても高圧電流が断続的に入り切りするので放される。
（６）裸線の周りの草など、頻繁に刈らなくても害獣に電撃効果が、少なくなる前に刈ればよい。
【図面の簡単な説明】
【０００８】
【図１】  電源スイッチ装置の側断面図
【図２】  本考案の電気柵全体を示す正面図
【図３】  図２の上部付近のみを示した平面図
【考案を実施するための形態】
【０００９】実施の形態１
請求項１又は２記載の電源スイッチ装置４は、略密封された導電性円筒状ケース２の上側に裸線１２用の電極１と、また下側に前記ケース２から絶縁状態で取り付けられ電極７と、そのケース２の内面をガイドに収納されたスプリング６により支えられた上下揺動自在の錘３と、前記錘３の底部中央に取り付けられた接点５と、前記接点５と対向して設けられた小さな電極スプリング７とからなり、害獣が裸線１２に触れたときの電源スイッチ装置４全体の上下揺動に伴い、連動する前記ケース２内の錘３の上下揺動による、前記接点５と前記小さな電極スプリング７との断続的接触により、裸線１２への高圧電流供給を断続的に行うことを特徴とする害獣撃退用電気柵。
【００１０】実施の形態２
裸線１２を片方の支柱１０に害獣が触れる高さに絶縁物１３で取り付けて、絶縁物でできた滑車１１数個を使い、裸線１２が地面に平行に張れるように、反対の支柱１０に、下の滑車１１と上の滑車１１を取り付けて、裸線１２を下の滑車１１から上の滑車１１に掛けて、支柱１０の上の滑車１１から十数センチ下がったところの裸線１２の終端に、錘３の入った導電性円筒ケース２を留めネジで吊り下げ、この錘３は、茶筒の様なケース２の内面をガイドに底から、スプリング６で支えられておりそのケース２の底の真ん中に、電極になる小さいスプリング７を錘３の底部の接点５に、接触しない程度に絶縁物（プラスチックなど）で、できたボルトとナット８で取り付けて、イノシシなどが裸線１２に触れたとき裸線１２が引っ張られて、錘３の入ったケース２が滑車１１を介して上に引っ張られて軽いケース２が先に上がり、質量がある錘３を支えたスプリング６が縮まり、小さな電極のスプリング７が錘３の底部の接点５に接触して、このとき初めて裸線１２に高圧電流が流れスプリング６と錘３の慣性で、何度か上下揺動を繰り返して、高圧電流が断続的に裸線１２に流れる害獣撃退用電気柵。
【符号の説明】
【００１１】  １    上側電極
２    導電性円筒状ケース
３    錘
４    電源スイッチ装置
５    接点
６    スプリング
７    電極スプリング
８    絶縁物でできたボルトとナット
９    下側電極
１０    支柱
１１    絶縁物でできた滑車
１２    裸線
１３    支柱に裸線を取り付ける絶縁物
１４    引っ張りスプリング
１５    裸線同士をつなぐ銅線
１６    電源装置（バッテリー）
１７    電撃装置（変圧器）
１８    アース棒
【図１】
0003217947.tif 000003
【図２】
0003217947.tif 000004
【図３】
0003217947.tif 000005